【手続補正書】
【提出日】平成17年8月5日(2005.8.5)
【手続補正１】
【補正対象書類名】明細書
【補正対象項目名】全文
【補正方法】変更
【補正の内容】
【書類名】      明細書
【発明の名称】  オンライン決済装置
【特許請求の範囲】
【請求項１】
決済サーバーと、前記決済サーバーと通信回線を介して接続された複数の端末装置とを備え、
前記決済サーバーは、
利用者識別番号及び暗証番号と複数の決済情報を利用者毎に記憶する記憶手段を備え、
前記端末装置に利用者識別番号及び暗証番号を含む決済指示が入力された場合、前記端末装置に入力された利用者識別番号及び暗証番号と前記記憶手段に記憶されている利用者識別番号及び暗証番号とが一致したときに当該利用者識別番号に対応する複数の決済情報の中の予め選択されている決済情報に基づいて決済を行うオンライン決済装置。
【請求項２】
決済サーバーと、前記決済サーバーと通信回線を介して接続された複数の端末装置とを備え、
前記決済サーバーは、
利用者識別番号及び暗証番号と決済情報を利用者毎に記憶する記憶手段を備え、
前記端末装置に利用者識別番号及び暗証番号を含む決済指示が入力された場合、前記端末装置に入力された利用者識別番号及び暗証番号と前記記憶手段に記憶されている利用者識別番号及び暗証番号が一致したときに前記記憶手段に記憶されている当該利用者識別番号に対応する決済情報を前記端末装置に出力させ、
前記端末装置で選択された決済情報に基づいて決済を行うオンライン決済装置。
【請求項３】
決済サーバーと、前記決済サーバーと通信回線を介して接続された複数の端末装置とを備え、
前記決済サーバーは、
利用者識別番号及び暗証番号と決済コード、決済種別コードを利用者毎に記憶する記憶手段を備え、
前記端末装置に利用者識別番号及び暗証番号を含む決済指示が入力された場合、前記端末装置に入力された利用者識別番号及び暗証番号と前記記憶手段に記憶されている利用者識別番号及び暗証番号が一致したときに前記記憶手段に記憶されている当該利用者識別番号に対応する決済コード及び決済種別コードに基づいて決済を行うオンライン決済装置。
【請求項４】
前記端末装置は、
決済方法登録指示が入力された場合、入力された決済方法登録指示に対応する決済種別の登録画面を出力し、
前記決済サーバーは、
前記登録画面で決済方法が入力された場合、前記登録画面で入力された利用者識別番号及び暗証番号と、決済コード、当該登録画面に対応する決済種別コードを前記記憶手段に記憶する請求項３に記載のオンライン決済装置。
【請求項５】
前記端末装置は、
決済方法登録指示が入力された場合、入力された決済方法登録指示に対応する決済種別の登録画面を出力し、
前記決済サーバーは、
前記登録画面で決済方法が入力された場合、前記登録画面で入力された利用者識別番号及び暗証番号と、決済方法を示す決済情報を前記記憶手段に記憶する請求項１または２に記載のオンライン決済装置。
【発明の詳細な説明】
【０００１】
【発明の属する技術分野】
本発明は、商品の購入及び商品代金の決済を通信回線を介して行うオンライン決済装置に関する。
【０００２】
【従来の技術】
近年、通信回線を介してオンラインで商品を購入することが可能となっている。このようなオンライン購入システムでは、利用者は予め利用者識別番号（会員番号）及び暗証番号（パスワード）と購入した商品の代金の決済方法（支払方法）を登録する必要がある。例えば、口座振替によって商品代金を支払う場合には金融機関名や口座番号等を登録し、商品代金をクレジットで支払う場合にはクレジットの種類やクレジット番号等を登録する必要がある。
【０００３】
【発明が解決しようとする課題】
従来のオンライン購入システムでは、オンラインで商品を購入する場合の決済方法を登録する場合には、予め指定された決済種別（口座振替、クレジット等）で、しかも指定された決済種別の中から１つの決済方法しか選択することができなかった。このため、利用者にとって非常に不便であった。
本発明は、このような問題点を解決するために創案されたものであり、利用者が任意の決済方法を選択することができるオンライン決済装置を提供することを課題とする。
【０００４】
【課題を解決するための手段】
前記課題を解決するために、請求項１に記載の発明は、決済サーバーと、前記決済サーバーと通信回線を介して接続された複数の端末装置とを備え、前記決済サーバーは、利用者識別番号及び暗証番号と複数の決済情報を利用者毎に記憶する記憶手段を備え、前記端末装置に利用者識別番号及び暗証番号を含む決済指示が入力された場合、前記端末装置に入力された利用者識別番号及び暗証番号と前記記憶手段に記憶されている利用者識別番号及び暗証番号とが一致したときに当該利用者識別番号に対応する複数の決済情報の中の予め選択されている決済情報に基づいて決済を行うオンライン決済装置である。
請求項１に記載のオンライン決済装置を用いれば、決済サーバーは、利用者識別番号及び暗証番号を含む決済指示が入力されると、利用者が登録した複数の決済方法の中から利用者が予め選択した決済方法で決済を行うため、利用者は任意の決済方法を選択することができる。
また、請求項２に記載の発明は、決済サーバーと、前記決済サーバーと通信回線を介して接続された複数の端末装置とを備え、前記決済サーバーは、利用者識別番号及び暗証番号と決済情報を利用者毎に記憶する記憶手段を備え、前記端末装置に利用者識別番号及び暗証番号を含む決済指示が入力された場合、前記端末装置に入力された利用者識別番号及び暗証番号と前記記憶手段に記憶されている利用者識別番号及び暗証番号が一致したときに前記記憶手段に記憶されている当該利用者識別子に対応する決済情報を前記端末装置に出力させ、前記端末装置で選択された決済情報に基づいて決済を行うオンライン決済装置である。
請求項２に記載のオンライン決済装置を用いれば、決済サーバーは、利用者識別番号及び暗証番号を含む決済指示が入力されると、利用者が登録した複数の決済方法のいずれかを選択可能に端末装置に出力するため、利用者は任意の決済方法を選択することができる。
また、請求項３に記載の発明は、決済サーバーと、前記決済サーバーと通信回線を介して接続された複数の端末装置とを備え、前記決済サーバーは、利用者識別番号及び暗証番号と決済コード、決済種別コードを利用者毎に記憶する記憶手段を備え、前記端末装置に利用者識別番号及び暗証番号を含む決済指示が入力された場合、前記端末装置に入力された利用者識別番号及び暗証番号と前記記憶手段に記憶されている利用者識別番号及び暗証番号が一致したときに前記記憶手段に記憶されている当該利用者識別番号に対応する決済コード及び決済種別コードに基づいて決済を行うオンライン決済装置である。
請求項３に記載のオンライン決済装置を用いれば、決済サーバーは、利用者識別番号及び暗証番号を含む決済指示が入力されると、利用者が登録した決済方法を示す決済コード及び決済種別コードに基づいて決済を行うため、利用者は任意の決済方法を選択することができる。
また、請求項４に記載の発明は、請求項３に記載のオンライン決済装置において、前記端末装置は、決済方法登録指示が入力された場合、入力された決済方法登録指示に対応する決済種別の登録画面を出力し、前記決済サーバーは、前記登録画面で決済方法が入力された場合、前記登録画面で入力された利用者識別番号及び暗証番号と、決済コード、当該登録画面に対応する決済種別コードを前記記憶手段に記憶する。
請求項４に記載のオンライン決済装置を用いれば、決済サーバーが決済種別を自動的に判別するため、利用者が決済方法を登録する際の作業が容易である。
また、請求項５に記載の発明は、請求項１または２に記載のオンライン決済装置において、前記端末装置は、決済方法登録指示が入力された場合、入力された決済方法登録指示に対応する決済種別の登録画面を出力し、前記決済サーバーは、前記登録画面で決済方法が入力された場合、前記登録画面で入力された利用者識別番号及び暗証番号と、決済方法を示す決済情報を前記記憶手段に記憶する。
【０００５】
【発明の実施の形態】
以下に、本発明の実施の形態を図面を用いて説明する。
図１は、本発明の一実施の形態を示す図である。本実施の形態のオンライン決済装置は、決済サーバー１０、利用者端末２０、３０、４０、決済サーバー１０と利用者端末２０、３０、４０とを接続する通信回線５０等によって構成されている。
決済サーバー１０は、処理手段（ＣＰＵ）１１、入力手段や表示手段等１２、記憶手段１３を有している。記憶手段１３には、利用者毎の利用者識別番号（会員番号）及び暗証番号（パスワード）と決済方法に関する決済情報を含む利用者情報（会員情報）、購入可能な商品の商品名、商品価格、商品内容、交換玉数等の商品情報（コンテンツ情報）、各利用者の購入履歴や各商品の販売履歴等の履歴情報等が記憶されている。記憶手段１３に記憶されている会員情報の一例を図２に示す。図２に示すように、各利用者（会員）毎に、利用者識別番号（会員番号）及び暗証番号（パスワード）と利用者によって登録されている各決済方法に関する決済情報、例えばクレジット番号、暗証番号、クレジット番号識別コード等を含むクレジット情報、口座番号、暗証番号、口座番号識別コード等を含む口座情報、電話回線番号、電話回線番号識別コード等を含む電話回線情報等が記憶されている。なお、商品情報は、例えば商品サーバー等の決済サーバー１０以外のサーバーに記憶させることもできる。ここで、本明細書では、クレジット番号、口座番号、電話回線番号等を決済コードという。また、クレジット番号識別コード、口座番号識別コード、電話回線番号識別コード等は、決済コードの種別を識別するためのものであり、決済識別コードという。なお、クレジットや口座の暗証番号の記憶は省略することもできる。
利用者端末２０、３０、４０は、処理手段（ＣＰＵ）２１、３１、４１、入力手段や表示手段等２２、３２、４２等を有している。利用者端末２０、３０、４０は、各家庭のパソコン等を用いることができ、またコンビニエンスストアや遊技店等に設置することもできる。
【０００６】
次に、本実施の形態の動作を説明する。なお、利用者端末２０、３０、４０の動作は同じであるため、以下の説明では利用者端末２０について説明する。
オンライン購入システムに入会するには、例えば利用者端末２０の表示手段に「メニュー選択画面」が表示されている状態で「オンライン入会申込み」を選択する。これにより、図３に示す「オンライン入会申込み画面」が表示される。「オンライン入会申込み画面」では、商品代金の支払い方法（決済方法）の選択、会員情報（利用者情報）の変更等を行うことができる。本実施の形態では、商品代金の支払い方法として口座振替、クレジット、電話料金（商品代金を電話料金に加算して請求する）、貯玉交換（ホールプレーヤ会員の貯玉で商品代金を支払う）を利用することができる。なお、ホールプレーヤ会員は、パチンコ店等の遊技店で発行されたＩＣカード等の会員カードを所有している会員である。ホールプレーヤ会員は、遊技店で発行された会員カードのホール会員番号及びその暗証番号をオンライン入会申込み時に利用者識別番号（会員番号）及び暗証番号として用いることができる。この場合には、ホールプレーヤ会員は、商品代金を貯玉（ホールプレーヤ会員が遊技店で獲得した玉は、貯玉として記憶させることができる。この貯玉は、景品と交換可能であり、あるいは再遊技を行うために引き落とし可能である。）で支払うことができる。
【０００７】
「オンライン入会申込み画面」で口座振替の「新規会員の入会申込み」を選択した後、「ＯＫ」を選択すると、図４に示す「口座振替―新規会員入会申込み画面」が表示される。「口座振替―新規会員入会申込み画面」では、会員番号（利用者識別番号）、暗証番号、氏名、住所等の必要な事項を入力する。会員番号及び暗証番号は、利用者が任意に入力することができる。入力した内容を取り消す場合には「取消」を選択し、「オンライン入会申込み画面」に戻る場合には「オンライン申込み画面に戻る」を選択する。
必要事項を入力した後、「登録」を選択すると、入力された各情報が利用者端末２０から決済サーバー１０に送信される。そして、決済サーバー１０から受信完了信号が送信されると、利用者端末２０の表示手段に「メニュー選択画面」が表示される。
そして、後日、口座振替に必要な金融機関名や口座番号等を記入する口座振替届出書が利用者に郵送される。利用者は、口座振替届出書に必要事項を記入して送り返す。なお、口座振替に必要な金融機関名や口座番号等を、会員番号や暗証番号とともに利用者端末２０から入力できるように構成してもよい。
この時、決済サーバー１０は、利用者識別番号及び暗証番号と、口座番号、口座番号識別コード等を会員情報として記憶手段１３に記憶する。
【０００８】
「オンライン入会申込み画面」でクレジットの「新規会員の入会申込み」を選択した後、「ＯＫ」を選択すると、図５に示す「クレジットー新規会員入会申込み画面」が表示される。「クレジット―新規会員入会申込み画面」では、会員番号、暗証番号、氏名、住所、クレジットカードのクレジット番号等の必要事項を入力する。
必要事項を入力した後、「登録」を選択すると、入力された各情報が決済サーバー１０に送信される。そして、決済サーバー１０から受信完了信号が送信されると、利用者端末２０の表示手段に「メニュー選択画面」が表示される。
この時、決済サーバー１０は、利用者識別番号及び暗証番号と、クレジット番号、クレジット番号識別コード等を会員情報として記憶手段１３に記憶する。
【０００９】
「オンライン入会申込み画面」で電話料金の「新規会員の入会申込み」を選択した後、「ＯＫ」を選択すると、図６に示す「電話料金支払ー新規会員入会申込み画面」が表示される。「電話料金支払―新規会員入会申込み画面」では、会員番号、暗証番号、利用電話番号、契約者名等の必要事項を入力する。
必要事項を入力した後、「登録」を選択すると、入力された各情報が決済サーバー１０に送信される。そして、決済サーバー１０から受信完了信号が送信されると、利用者端末２０の表示手段に「メニュー選択画面」が表示される。
この時、決済サーバー１０は、利用者識別番号及び暗証番号と、電話回線番号、電話回線番号識別コード等を会員情報として記憶手段１３に記憶する。
【００１０】
なお、利用者端末２０から送信された会員番号や暗証番号がすでに他の会員によって使用されている場合には、会員番号や暗証番号の変更が指示される。会員番号や暗証番号の変更指示は、決済サーバー１０から利用者端末２０に送信してもよいし、後日利用者に郵送してもよい。会員番号や暗証番号の変更指示を利用者端末２０に送信する場合には、例えば決済サーバー１０から利用者端末２０に受信完了信号に代えて変更指示信号を送信し、利用者端末２０の表示手段に表示されている会員番号や暗証番号を点滅させるとともにメッセージを表示する。利用者は、点滅している会員番号や暗証番号を変更して再度「登録」を選択する。
また、「オンライン入会申込み画面」で「ホールプレーヤ会員の入会申込み」を選択した場合には、利用者は、会員番号及び暗証番号として各遊技店で発行された会員カードのホール会員番号及びその暗証番号を入力することができる。会員カードのホール会員番号及びその暗証番号を入力した場合には、商品代金を貯玉でも支払うことができる。
また、すでに電話料金支払い方法を利用している利用者の入会申込みの場合には、電話料金支払い方法に用いている会員番号及びその暗証番号を入力する。
また、すでに電話料金支払い方法を利用しており、かつホールプレーヤ会員である利用者の入会申込みの場合には、電話料金支払い方法に用いている会員番号及びその暗証番号あるいは会員カードのホール会員番号及びその暗証番号を入力することができる。
【００１１】
さらに、決済方法としては、口座振替による決済方法、クレジットによる決済方法、電話料金支払いによる決済方法のいずれか１つの決済方法を登録することもできるし、複数の決済方法を登録することもできる。また、口座振替による決済方法やクレジットによる決済方法を登録する場合には、複数の口座番号や複数のクレジット番号等の複数の決済方法を登録することもできる。複数の決済方法を登録する場合には、「新規会員の入会申込み画面」を用いて追加登録できるようにしてもよいし、複数の決済方法を登録できる画面を用意してもよい。複数の決済方法を登録した場合には、図２に示すように、会員識別番号及びその暗証番号と、各決済方法を示す決済情報が会員情報として記憶手段１３に記憶される。
複数の決済方法を登録した場合には、少なくとも決済時にいずれか１つの決済方法を決定する必要がある。いずれか１つの決済方法を決定する方法としては、複数の決済方法の中の１つの決済方法を予め選択しておく方法、決済時に複数の決済方法の中から１つの決済方法を選択する方法、いずれの方法で決定するかを利用者に選択させる方法がある。予め選択する方法のみを用いる場合には、例えば、登録された複数の決済方法の中から１つの決済方法を選択できるように構成する。決済時に選択する方法のみを用いる場合には、例えば登録された複数の決済方法の中から１つの決済方法を決済時に選択できるように構成する。いずれの方法で決定するかを利用者に選択させる場合には、例えば予め選択する方法を用いるか決済時に選択する方法を用いるかを選択できるように構成するとともに、予め選択する方法を選択したときには登録された複数の決済の方法の中から１つの決済方法を選択できるように構成する。あるいは、決済時に選択する方法を選択したときには、登録された複数の決済方法の中から１つの決済方法を決済時に選択できるように構成する。
以上のようにして入力された会員番号（利用者識別番号）及び暗証番号等や決済方法を示す決済情報、例えば口座番号等を含む口座情報、クレジット番号等を含むクレジット情報、電話回線番号等を含む電話回線情報等は、決済サーバー１０の記憶手段１３に各会員に対応させて会員情報として記憶される。
なお、商品情報の出力、会員番号や暗証番号の入力、決済方法の選択等は音声で行うこともできる。
【００１２】
次に、利用者端末２０からオンラインで商品の購入及び決済を行う場合の、利用者端末２０及び決済端末１０の動作を説明する。
例えば、利用者端末２０の表示手段に「メニュー選択画面」を表示している状態で「商品購入」が選択されると、図７に示すような「商品一覧画面」が表示される。「商品一覧画面」では、購入可能な商品の商品名、商品の価格、商品の内容概要等が表示される。利用者は、商品を購入する場合には、購入希望の商品名を指示して（例えば、カーソルで指示した状態でクリック操作を行う）、「購入する」を選択する。商品の購入を中止する場合には、「中止」を選択する。
商品の内容を詳細に知りたい場合には、商品名を指示して「商品詳細説明」を選択する。「商品詳細説明」が選択されると、図８に示すように、指示された商品の「商品詳細説明画面」が表示される。利用者は、商品を購入する場合には、「購入する」を選択する。「商品一覧画面」に戻る場合には、「前画面に戻る」を選択する。
【００１３】
図７に示す「商品一覧画面」あるいは図８に示す「商品詳細説明画面」で「購入する」が選択されると、図９に示す「商品購入画面」が表示される。「商品購入画面」で利用者が会員番号及び暗証番号を入力した後、「ＯＫ」が選択されると、すなわち利用者端末２０に会員番号（利用者識別番号）及び暗証番号を含む決済指示が入力された場合には、利用者端末２０は入力された会員番号及び暗証番号を決済サーバー１０に送信する。決済サーバー１０は、利用者端末２０で入力された会員番号及び暗証番号を記憶手段１３に記憶されている会員番号及び暗証番号と比較し、一致していれば認証ＯＫ信号を、一致していない場合には認証ＮＧ信号を利用者端末２０に送信する。ここで、当該会員番号に対応する決済方法としてクレジット、口座振替、電話料金等の複数の決済方法が登録されており、かつその中の１つの決済方法が予め選択されていない場合には、決済サーバー１０は、認証ＯＫ信号とともに当該会員番号に対応して登録されている各決済方法の決済種別を利用者端末２０に送信する。
利用者端末２０は、認証ＯＫ信号及び決済種別を受信した場合には、例えば図１０に示す「金額確認画面」を表示する。一方、認証ＮＧ信号を受信した場合には、エラーメッセージを出力するとともに、「商品購入画面」を表示して会員番号及び暗証番号を再入力させるか、あるいは「メニュー選択画面」を表示する。
【００１４】
「金額確認画面」では、購入希望商品の商品名、価格、商品代金の決済方法が表示される。図１０では、決済方法としてクレジット、口座振替、電話料金による支払が登録されていることを表示している。
利用者が、「金額確認画面」に表示されている複数の決済種別の中から今回の決済種別を選択した後、「購入する」を選択すると、利用者端末２０は選択された決済種別を決済サーバー１０に送信する。これにより、決済サーバー１０は、選択された決済種別の決済方法で商品代金の決済を行う。商品がゲームソフト、画像データ、音楽データ等の情報である場合には、「購入する」を選択した時にゲームソフト、画像データ、音楽データ等の情報を利用者端末２０にダウンロードするように構成することもできる。
なお、「金額確認画面」には、クレジット、口座振替、電話料金等の項目を表示してもよいし、金融機関名、クレジット会社名等を表示してもよいし、クレジット番号、口座番号、電話番号等を表示してもよいし、両方を表示してもよい。また、複数のクレジットや複数の口座が登録されている場合には、各決済方法が判別できるように「金額確認画面」に表示してもよいし、「金額確認画面」にクレジットや口座振替の項目を表示し、いずれかの項目が選択された時に選択された項目の決済種別の各決済方法を表示するようにしてもよい。
【００１５】
また、入会時に会員番号及び暗証番号として各遊技店で発行された会員カードのホール会員番号及びその暗証番号を入力した利用者の場合には、決済方法として貯玉交換を登録あるいは選択することができる。決済方法として貯玉交換を登録した場合には、利用者端末２０に会員番号及び暗証番号を含む決済指示が入力された時に、例えば図１１に示す「商品交換玉数確認画面」が表示される。図１１に示す「商品交換玉数確認画面」では、購入する商品の商品名、交換玉数、引落としホール名、交換前の貯玉数、交換後の貯玉数等が表示される。この場合、決済サーバー１０は、会員番号、すなわちホール会員番号に基づいて利用者がホール会員である遊技店の会員サーバー等から当該ホール会員の貯玉数を読み取るとともに、記憶手段１３に記憶されている商品情報から購入希望商品の交換玉数を読み取って、交換玉数、交換前貯玉数及び交換後貯玉数を表示する。なお、会員番号及び暗証番号の認証を遊技店の会員サーバー等で行ってもよい。
利用者が「商品交換玉数確認画面」で「交換」を選択すると、利用者端末２０から決済サーバー１０に購入指示が送信される。これにより、決済サーバー１０は、商品と交換する交換玉数を会員番号、すなわちホール会員番号に対応する遊技店の会員サーバー等に送信する。遊技店の会員サーバー等は、該当するホール会員の貯玉数から受信した交換玉数を減算して貯玉数を更新する。
なお、決済方法として貯玉交換以外の決済方法が指定されており、かつその中の１つの決済方法が予め登録されていない場合には、指定された決済方法を例えば図１１で示した方法で表示する。この場合には、決済サーバー１０は、利用者によって選択された決済方法により商品代金の決済を行う。
入会時に会員番号及び暗証番号として各遊技店で発行された会員カードのホール会員番号及びその暗証番号を入力した利用者の場合には、「商品一覧画面」や「商品詳細説明画面」等に交換玉数も表示すると利用者に便利である。
【００１６】
一方、会員情報として複数の決済方法が登録されているが、その中の１つの決済方法が予め選択されている場合には、利用者端末２０に例えば図１２に示すような「金額確認画面」が表示される。「金額確認画面」では、購入希望商品の商品名、価格、商品代金の決済方法が表示される。図１２の△△△には、登録されている複数の決済方法の中から予め選択されている決済方法が表示される。例えば、口座振替、クレジット、電話料金支払等が表示される。
口座番号等の口座情報やクレジット番号等のクレジット情報が複数登録されている場合には、予め選択されている決済方法が判別できるように、例えば○○銀行あるいは△△クレジット会社等を表示すると便利である。なお、口座番号やクレジット番号等を表示することもできる。
「金額確認画面」で利用者が「購入する」を選択すると、商品の購入指示が決済サーバー１０に送信される。これにより、決済サーバー１０は、予め選択されている決済方法で商品代金の決済を行う。「金額確認画面」で利用者が「中止」を選択すると、「メニュー選択画面」が表示される。
【００１７】
以上は、会員情報として複数の決済方法が登録されている場合について説明したが、任意の１つの決済方法を登録することもできる。この場合には、利用者端末２０の「メニュー選択画面」で希望する決済種別の「オンライン入会申込み画面」を選択する。そして、希望する「オンライン入会申込み画面」で、前記と同様にして会員番号、暗証番号、クレジット番号、電話回線番号等を入力した後「登録」を選択する。これにより、決済サーバー１０は、利用者端末２０で表示されている画面に対応する決済種別コードを判別し、記憶手段１３に図１３に示すように、利用者識別番号及びその暗証番号と、決済コード（口座番号、クレジット番号、電話回線番号等の番号コード）、決済種別コード（口座番号識別コード、クレジット番号識別コード、電話回線番号識別コード等）を会員情報として記憶する。
決済サーバー１０は、利用者端末２０から会員番号及び暗証番号を含む決済指示が入力された場合には、認証を行う。そして、認証がＯＫの場合には、認証ＯＫ信号とともに会員番号に対応して登録されている決済種別コードを利用者端末に送信する。利用者端末は、認証ＯＫ信号及び決済種別コードを受信すると、例えば図１２に示すような「金額確認画面」を表示する。この場合、図１２の△△△には、会員番号に対応して登録されている決済種別コードに基づいた決済種別、例えば口座振替、クレジット、電話料金支払等が表示される。
そして、利用者が「金額確認画面」で「購入する」を選択すると、決済サーバー１０は、会員番号に対応して登録されている決済コード及び決済種別コードに基づいて決済方法（口座番号、クレジット番号、電話回線番号等）を判断し、決済を行う。
【００１８】
以上は、利用者が利用者端末からオンラインで商品の購入及び決済を行う場合について説明したが、販売実績や購入履歴等を確認することもできる。
例えば、「メニュー選択画面」で「販売実績」を選択した後、「商品指定画面」で商品を指定すると、記憶手段１３に記憶されている履歴情報から各商品の所定期間内の販売実績を読み出し、図１４に示す「販売実績確認画面」を表示する。これにより、各商品の販売実績を知ることができる。
また、例えば「メニュー選択画面」で「購入実績」を選択した後、「利用者指定画面」で利用者を指定すると、記憶手段１３に記憶されている履歴情報から指定された利用者の所定期間内の購入履歴を読み出し、図１５に示す「購入履歴確認画面」を表示する。これにより、各利用者の購入履歴を知ることができる。
【００１９】
なお、オンライン決済を行う場合の表示画面の表示方法、商品の選択や決済方法の選択方法等は、前記実施の形態に限定されず種々変更可能である。
また、本発明は、オンライン決済方法としても構成することができる。すなわち、決済サーバーと、前記決済サーバーと通信回線を介して接続された複数の端末装置とを用いて商品の購入及び決済を行うオンライン決済方法であって、前記決済サーバーに利用者識別番号及び暗証番号と複数の決済情報を利用者毎に記憶させておき、前記端末装置に利用者識別番号及び暗証番号を含む決済指示が入力された場合、前記決済サーバーは前記端末装置に入力された利用者識別番号及びパスワードと予め記憶している利用者識別番号及び暗証番号パスワードとが一致したときに当該利用者識別番号に対応する複数の決済情報の中の予め選択されている１つの決済情報に基づいて決済を行うオンライン決済方法。また、決済サーバーと、前記決済サーバーと通信回線を介して接続された複数の端末装置とを用いて商品の購入及び決済を行うオンライン決済方法であって、前記決済サーバーに利用者識別番号及び暗証番号と複数の決済情報を利用者毎に記憶させておき、前記端末装置に利用者識別番号及び暗証番号を含む決済指示が入力された場合、前記決済サーバーは前記端末装置に入力された利用者識別番号及び暗証番号と予め記憶している利用者識別番号及び暗証番号とが一致したときに当該利用者識別番号に対応する決済情報を前記端末装置から出力させ、前記端末装置で選択された決済情報に基づいて決済を行うオンライン決済方法。また、決済サーバーと、前記決済サーバーと通信回線を介して接続された複数の端末装置とを用いて商品の購入及び決済を行うオンライン決済方法であって、前記決済サーバーに利用者識別番号及び暗証番号と決済コード、決済種別コードを利用者毎に記憶させておき、前記決済サーバーは前記端末装置に入力された利用者識別番号及び暗証番号と予め記憶している利用者識別番号及び暗証番号が一致したときに当該利用者識別番号に対応する決済コード及び決済種別コードに基づいて決済を行うオンライン決済方法。
【００２０】
【発明の効果】
以上説明したように、請求項１〜請求項３に記載のオンライン決済装置を用いれば、利用者は任意の決済方法を選択することができる。
また、請求項４または５に記載のオンライン決済装置を用いれば、利用者が決済方法を登録する際の作業が容易である。
【図面の簡単な説明】
【図１】
オンライン決済装置の一実施の形態を示す図である。
【図２】
複数の決済方法が登録されている会員情報を示す図である。
【図３】
オンライン入会申込み画面を示す図である。
【図４】
口座振替―新規会員入会申込み画面を示す図である。
【図５】
クレジットー新規会員入会申込み画面を示す図である。
【図６】
電話料金支払―新規会員入会申込み画面を示す図である。
【図７】
商品一覧画面を示す図である。
【図８】
商品詳細説明画面を示す図である。
【図９】
商品購入画面を示す図である。
【図１０】
複数の決済方法が登録されている会員情報を示す図である。
【図１１】
商品交換玉数確認画面を示す図である。
【図１２】
１つの決済方法しか登録されていない場合あるいは１つの決済方法が予め選択されている場合の金額確認画面を示す図である。
【図１３】
１つの決済方法が登録されている場合の１つの決済方法が登録されている会員情報を示す図である。
【図１４】
販売実績確認画面を示す図である。
【図１５】
購入履歴確認画面を示す図である。
【符号の説明】
１０  決済サーバー
１３  記憶手段
２０、３０、 ４０  利用者端末